(57)【要約】【課題】本発明の課題は、ユーザ端末が位置情報を取得することができない場合に、近くにある位置情報取得可能な端末機器と接続することにより位置情報を取得可能とすることにある。【解決手段】本発明は、位置情報を要求するユーザ端末１１に、ユーザ端末１１の近くにある位置情報取得可能な端末機器２１と接続することによって位置情報を取得し、ユーザ端末１１の位置を特定・識別することを特徴とする。【選択図】    図１
2005027108.tif 000002
【特許請求の範囲】
【請求項１】
位置情報取得可能な端末機器とユーザ端末が接続することによってユーザ端末の位置を特定する位置情報特定方法であって、
ユーザ端末の近くにある位置情報取得可能な端末機器を検出する端末検出ステップと、
位置情報取得可能な端末機器にユーザ端末が接続するための認証を行うユーザ認証ステップと、
ユーザ端末が位置情報取得可能な端末機器と接続することで位置情報を取得する位置情報取得ステップとを含むことを特徴とする位置情報特定方法。
【請求項２】
位置情報取得可能な端末機器とユーザ端末が接続することによってユーザ端末の位置を特定する位置情報特定方法であって、
ユーザ端末が位置情報取得可能な端末機器と接続することで位置情報を取得する位置情報取得ステップにおいて、
ユーザ端末が位置情報取得可能な端末機器のＩＤを用いることで位置情報を取得することを特徴とする請求項１に記載の位置情報特定方法。
【請求項３】
位置情報取得可能な端末機器とユーザ端末が接続することによってユーザ端末の位置を特定する位置情報特定方法であって、
ユーザ端末が位置情報取得可能な端末機器と接続することで位置情報を取得する位置情報取得ステップにおいて、
ユーザ端末が位置情報取得のための一時的なＩＤを用いて位置情報を取得することを特徴とする請求項１に記載の位置情報特定方法。
【請求項４】
位置情報取得可能な端末機器とユーザ端末が接続することによってユーザ端末の位置を特定する位置情報特定方法であって、
ユーザ端末が位置情報取得可能な端末機器と接続することで位置情報を取得する位置情報取得ステップにおいて、
位置情報取得可能な端末機器に位置情報を取得させ、その位置情報をユーザ端末が取得することを特徴とする請求項１に記載の位置情報特定方法。
【請求項５】
請求項１に記載の位置情報特定方法において、
位置情報にユーザ端末接続した位置情報取得可能な端末機器の場所に関する情報を含むことで、ユーザ端末が取得した位置情報をもとに、ユーザ端末の位置を識別するユーザ位置識別ステップを含むことを特徴とする位置情報特定方法。
【請求項６】
位置情報取得可能な端末機器とユーザ端末が接続することによってユーザ端末の位置を特定する位置情報特定システムであって、
ユーザ端末とユーザ端末の近くにある位置情報取得可能な端末機器間で通信を行うための通信手段と、
前記通信手段で通信したユーザ端末が位置情報取得可能な端末機器と接続許可を行うための認証手段と、
前記認証手段で接続を許可されたユーザ端末が位置情報取得可能な端末機器と接続し、ユーザ端末に対して請求項２，３又は４に記載のいずれかの位置情報特定方法によって位置情報を取得する位置情報取得手段とを具備することを特徴とする位置情報特定システム。
【請求項７】
請求項６記載の位置情報特定システムにおいて、
位置情報にユーザ端末接続した位置情報取得可能な端末機器の場所に関する情報を含めるための場所情報を取得する場所情報取得手段を具備することを特徴とする位置情報特定システム。
【請求項８】
ユーザ端末から受信するユーザ情報と、位置情報取得可能な端末機器に関する情報をベースに、位置情報取得可能な端末機器にユーザ端末が接続するための認証を行う認証サーバにおいて、
ユーザ端末が請求項２，３又は４に記載のいずれかの位置情報特定方法によって位置情報を取得することを許可するかの判定を行い、あるいは事前に決められた請求項２，３又は４に記載のいずれかの位置情報特定方法によって位置情報取得を許可するかの判定を行いユーザ端末に通知する認証手段を具備することを特徴とする認証サーバ。
【請求項９】
請求項２記載の位置情報特定方法により、位置情報を取得することを許可する場合に、位置情報特定可能な端末機器のＩＤを抽出するＩＤ制御部、または請求項３記載の位置情報特定方法により、位置情報を取得することを許可する場合に、ユーザ端末が位置情報取得のための一時的なＩＤを抽出するＩＤ制御部を有することを特徴とする請求項８記載の認証サーバ。
【請求項１０】
ユーザ端末が近くにある位置情報取得可能な端末機器を検出し接続依頼を行う接続依頼手順と、
認証サーバからの位置情報取得のための情報をもとに位置情報取得依頼を行う位置情報取得依頼手順とをユーザ端末に実行させるための端末プログラム。
【請求項１１】
ユーザ端末からの接続依頼手順によって、ユーザ端末から受信するユーザ情報を認証サーバに対して通知することで認証を依頼し、認証サーバからの認証結果をユーザ端末に通知する認証依頼手順と、
ユーザ端末からの位置情報取得依頼手順によって位置情報を取得し、ユーザ端末に通知する位置情報取得手順と、
位置情報にユーザ端末接続した位置情報取得可能な端末機器の場所に関する情報を付加する場合に、その情報を抽出して、ユーザ端末に通知する場所情報付加手順とを位置情報取得可能な端末機器に実行させるための端末機器プログラム。
【請求項１２】
位置情報取得可能な端末機器からの認証依頼手順によって、ユーザ情報と、位置情報取得可能な端末機器に関する情報をベースに、位置情報取得可能な端末機器にユーザ端末が接続するための認証を行うユーザ認証手順と、
ユーザ端末が請求項２，３又は４に記載のいずれかの位置情報特定方法によって位置情報を取得することを許可するかの判定、あるいは、事前に決められた請求項２，３又は４に記載のいずれかの位置情報特定方法によって、位置情報取得を許可するかの判定を行う位置情報取得判定手順とを認証サーバに実行させるための認証サーバプログラム。
【請求項１３】
ユーザ端末が近くにある位置情報取得可能な端末機器を検出し接続依頼を行う接続依頼手順と、
認証サーバからの位置情報取得のための情報をもとに位置情報取得依頼を行う位置情報取得依頼手順とをユーザ端末に実行させるための端末プログラムを記録したコンピュータ読み取り可能な記録媒体。
【請求項１４】
ユーザ端末からの接続依頼手順によって、ユーザ端末から受信するユーザ情報を認証サーバに対して通知することで認証を依頼し、認証サーバからの認証結果をユーザ端末に通知する認証依頼手順と、
ユーザ端末からの位置情報取得依頼手順によって位置情報を取得し、ユーザ端末に通知する位置情報取得手順と、
位置情報にユーザ端末接続した位置情報取得可能な端末機器の場所に関する情報を付加する場合に、その情報を抽出して、ユーザ端末に通知する場所情報付加手順とを位置情報取得可能な端末機器に実行させるための端末機器プログラムを記録したコンピュータ読み取り可能な記録媒体。
【請求項１５】
位置情報取得可能な端末機器からの認証依頼手順によって、ユーザ情報と、位置情報取得可能な端末機器に関する情報をベースに、位置情報取得可能な端末機器にユーザ端末が接続するための認証を行うユーザ認証手順と、
ユーザ端末が請求項２，３又は４に記載のいずれの位置情報特定方法によって位置情報を取得することを許可するかの判定、あるいは、事前に決められた請求項２，３又は４に記載のいずれかの位置情報特定方法によって、位置情報取得を許可するかの判定を行う位置情報取得判定手順とを認証サーバに実行させるための認証サーバプログラムを記録したコンピュータ読み取り可能な記録媒体。
【発明の詳細な説明】
【０００１】
【発明の属する技術分野】
本発明は、位置情報取得可能な端末機器とユーザ端末が接続することで、ユーザ端末の位置を特定する位置情報特定方法、位置情報特定システム、認証サーバ、端末プログラムおよびそのプログラムを記録した記録媒体、端末機器プログラムおよびそのプログラムを記録した記録媒体、認証サーバプログラムおよびそのプログラムを記録した記録媒体に関する。
【０００２】
【従来の技術】
ユーザの位置情報を取得する技術として、従来、携帯電話やＰＨＳ（簡易型携帯電話システム：Ｐｅｒｓｏｎａｌ  Ｈａｎｄｙ−ｐｈｏｎｅ  Ｓｙｓｔｅｍ）の基地局から位置情報を取得する方法や、ＧＰＳ（全世界測位システム：Ｇｌｏｂａｌ  Ｐｏｓｉｔｉｏｎｉｎｇ  Ｓｙｓｔｅｍ）による位置情報取得方法などがある。
【０００３】
図６は従来の位置情報取得システムの一例を示した構成説明図であり、図７は図６に対する信号シーケンスの一例を示す説明図である。図６に示すように、従来の位置情報取得システムはユーザ端末１−１と位置情報機器１−２で構成される。ユーザ端末１−１は位置情報取得部１−１−１、位置情報取得依頼部１−１−２、端末機器通信部１−１−３より構成され、位置情報機器１−２の例としては携帯電話やＰＨＳなどの基地局、ＧＰＳ、無線ＬＡＮのアクセスポイントその他、ユーザ端末と通信可能な通信機器である。ユーザ端末１−１自身で位置情報機器１−２から位置情報を取得する。
【０００４】
すなわち、図７に示すように、ユーザ端末１−１の位置情報取得依頼部１−１−２から端末機器通信部１−１−３を介して位置情報機器１−２に位置情報要求信号を送信する。位置情報機器１−２からは位置情報応答信号がユーザ端末１−１に送信され、ユーザ端末１−１の位置情報取得部１−１−１で位置情報を取得し、位置を特定する。
【０００５】
しかし従来のこれらの技術は、端末が、携帯電話やＰＨＳの接続可能な場所あるいはＧＰＳ接続可能な場所で、位置情報を取得するための機能を有している必要があり、前記いずれかの条件が揃わないと位置情報を取得することができないという問題点がある。
【０００６】
ＧＰＳやＰＨＳを使った通常の位置特定システムの先行技術文献として特許文献１がある。
【０００７】
【特許文献１】
特開２０００−３０８１１４号公報。
【０００８】
【発明が解決しようとする課題】
本発明は上記の事情に鑑みてなされたもので、ユーザ端末が直接位置情報を取得することができない場合に、近くにある位置情報取得可能な端末機器と接続することにより位置情報を取得可能としてユーザ端末の位置を特定する位置情報特定方法、位置情報特定システム、認証サーバ、端末プログラムおよびそのプログラムを記録した記録媒体、端末機器プログラムおよびそのプログラムを記録した記録媒体、認証サーバプログラムおよびそのプログラムを記録した記録媒体を提供することを目的とする。
【０００９】
【課題を解決するための手段】
上記目的を達成するために本発明は、位置情報取得可能な端末機器とユーザ端末が接続することによってユーザ端末の位置を特定する位置情報特定方法であって、ユーザ端末の近くにある位置情報取得可能な端末機器を検出する端末検出ステップと、位置情報取得可能な端末機器にユーザ端末が接続するための認証を行うユーザ認証ステップと、ユーザ端末が位置情報取得可能な端末機器と接続することで位置情報を取得する位置情報取得ステップとを含むことを特徴とする。
【００１０】
また本発明は、前記位置情報取得ステップにおいて、ユーザ端末が位置情報取得可能な端末機器のＩＤを用いることで位置情報を取得することを特徴とする。
【００１１】
また本発明は、前記位置情報取得ステップにおいて、ユーザ端末が位置情報取得のための一時的なＩＤを用いて位置情報を取得することを特徴とする。
【００１２】
また本発明は、前記位置情報取得ステップにおいて、位置情報取得可能な端末機器に位置情報を取得させ、その位置情報をユーザ端末が取得することを特徴とする。
【００１３】
また本発明は、前記位置情報特定方法において、位置情報にユーザ端末接続した位置情報取得可能な端末機器の場所に関する情報を含むことで、ユーザ端末が取得した位置情報をもとに、ユーザ端末の位置を識別するユーザ位置識別ステップを含むことを特徴とする。
【００１４】
また本発明は、位置情報取得可能な端末機器とユーザ端末が接続することによってユーザ端末の位置を特定する位置情報特定システムであって、ユーザ端末とユーザ端末の近くにある位置情報取得可能な端末機器間で通信を行うための通信手段と、前記通信手段で通信したユーザ端末が位置情報取得可能な端末機器と接続許可を行うための認証手段と、前記認証手段で接続を許可されたユーザ端末が位置情報取得可能な端末機器と接続し、ユーザ端末に対して前記位置情報特定方法によって位置情報を取得する位置情報取得手段とを具備することを特徴とするものである。
【００１５】
また本発明は、前記位置情報特定システムにおいて、位置情報にユーザ端末接続した位置情報取得可能な端末機器の場所に関する情報を含めるための場所情報を取得する場所情報取得手段を具備することを特徴とするものである。
【００１６】
また本発明は、ユーザ端末から受信するユーザ情報と、位置情報取得可能な端末機器に関する情報をベースに、位置情報取得可能な端末機器にユーザ端末が接続するための認証を行う認証サーバにおいて、ユーザ端末が前記位置情報特定方法によって位置情報を取得することを許可するかの判定を行い、あるいは事前に決められた前記位置情報特定方法によって位置情報取得を許可するかの判定を行いユーザ端末に通知する認証手段を具備することを特徴とするものである。
【００１７】
また本発明は、前記認証サーバにおいて、前記位置情報特定方法により、位置情報を取得することを許可する場合に、位置情報特定可能な端末機器のＩＤを抽出するＩＤ制御部、または前記位置情報特定方法により、位置情報を取得することを許可する場合に、ユーザ端末が位置情報取得のための一時的なＩＤを抽出するＩＤ制御部を有することを特徴とするものである。
【００１８】
【発明の実施の形態】
以下図面を参照して本発明の実施の形態例を詳細に説明する。
【００１９】
図１は本発明の一実施形態例に係る位置情報特定システムを示す構成説明図であり、図２は図１に対する信号シーケンスの一例を示す説明図である。図１に示すように、位置情報特定システムはユーザ端末１１、位置情報機器１２、位置情報取得可能な端末機器２１、認証サーバ２２、およびコンピュータネットワーク２３で構成される。前記位置情報取得可能な端末機器２１は例えばビルや駅などの建物に固着された端末機器、あるいは電車やタクシー、バスなどの乗り物に固着された端末機器であってもよく、また他のユーザ端末であってもよい。
【００２０】
前記ユーザ端末１１は位置情報取得部１１１、位置情報取得依頼部１１２、端末機器通信部１１３より構成される。前記位置情報機器１２の例としては、携帯電話やＰＨＳなどの基地局、ＧＰＳ、無線ＬＡＮのアクセスポイントその他、ユーザ端末と通信可能な通信機器である。前記位置情報取得可能な端末機器２１は位置情報取得部２１１、位置情報取得依頼部２１２、端末機器通信部２１３、場所情報取得部２１４より構成され、前記認証サーバ２２はユーザ認証部２２１、ＩＤ（ｉｄｅｎｔｉｆｉｃａｔｉｏｎ）制御部２２２より構成される。
【００２１】
前記ユーザ端末１１自身で位置情報取得できない場合に、位置情報取得可能な端末機器２１と接続することで、位置情報を取得する。ユーザ端末１１と位置情報取得可能な端末機器２１との接続は、認証サーバ２２により許可されたユーザ端末１１のみ可能で、ユーザ端末１１が位置情報取得可能な端末機器２１のＩＤを用いて接続することで位置情報を取得する場合や、ユーザ端末１１が一時的に利用可能なＩＤを用いて接続することで位置情報を取得する場合、位置情報取得可能な端末機器２１が保持している位置情報をユーザ端末１１が取得する場合がある。
【００２２】
また、ユーザ端末１１が接続した位置情報取得可能な端末機器２１の場所情報として、ビルや駅などの建物や建物内の場所、建物の階数、電車やタクシー、バスなどの乗り物等の場所情報を位置情報に付加することによって、位置を識別する。前記場所情報としは、例えばＲＦタグ等を用いて現在、ビルＡあるいは駅Ｂに居るとか、電車ＣあるいはタクシーＤあるいはバスＥに乗車中とかの情報がある。
【００２３】
すなわち、図２に示すように、位置情報を要求するユーザ端末１１は、ユーザ端末１１の近くにある位置情報取得可能な端末機器２１と接続することによってユーザ端末１１の位置を特定・識別するものであって、ユーザ端末１１の位置情報取得依頼部１１２から端末機器通信部１１３を介してユーザ端末１１の近くにある位置情報取得可能な端末機器２１を検出し接続要求信号を送信する。位置情報取得可能な端末機器２１の端末機器通信部２１３はユーザ端末１１からの接続要求によって、ユーザ端末１１から受信するユーザ情報を認証サーバ２２に対して通知することで認証要求をする。認証サーバ２２のユーザ認証部２２１はユーザ端末１１から受信するユーザ情報と、位置情報取得可能な端末機器２１に関する情報をベースに、位置情報取得可能な端末機器２１にユーザ端末１１が接続許可をするための認証を行うと、その認証結果応答信号を位置情報取得可能な端末機器２１に送信する。位置情報取得可能な端末機器２１の端末機器通信部２１３は認証サーバ２２から認証結果応答信号を受信すると、ユーザ端末１１を接続すると共に接続結果応答信号をユーザ端末１１に送信する。ユーザ端末１１の位置情報取得依頼部１１２は位置情報取得可能な端末機器２１から接続結果応答信号を受信すると、位置情報取得要求信号を位置情報取得可能な端末機器２１に送信する。位置情報取得可能な端末機器２１の位置情報取得依頼部２１２はユーザ端末１１から位置情報取得要求信号を受信すると、位置情報要求信号を位置情報機器１２に送信する。位置情報機器１２は位置情報取得可能な端末機器２１の位置情報取得依頼部２１２から位置情報要求信号を受信すると、位置情報応答信号を位置情報取得可能な端末機器２１に送信する。位置情報取得可能な端末機器２１の位置情報取得部２１１は位置情報機器１２から位置情報応答信号を受信して位置情報を取得すると、その位置情報にユーザ端末接続した位置情報取得可能な端末機器２１の場所に関する情報を付加する場合には、場所情報取得部２１４でその場所情報を抽出して位置情報に付加した位置情報取得結果応答信号を端末機器通信部２１３を介してユーザ端末１１に送信する。ユーザ端末１１の端末機器通信部１１３は位置情報取得可能な端末機器２１から位置情報取得結果応答信号を受信すると、位置情報取得部１１１で位置情報を取得すると共に場所情報を取得して、位置特定および位置識別を行う。
【００２４】
前記認証サーバ２２はユーザ端末１１が位置情報特定方法によって位置情報を取得することを許可するかの判定を行い、あるいは事前にきめられた位置情報特定方法によって位置情報取得を許可するかの判定を行いユーザ端末１１に通知する。前記認証サーバ２２は位置情報を取得することを許可する場合に、位置情報特定可能な端末機器２１のＩＤを抽出するか、あるいは位置情報を取得することを許可する場合に、ユーザ端末１１が位置情報取得のための一時的なＩＤを抽出するＩＤ制御部２２２を有し、ユーザ端末１１が位置情報取得可能な端末機器２１のＩＤを用いることで位置情報を取得し、あるいはユーザ端末１１が位置情報取得のための一時的なＩＤを用いて位置情報を取得する。
【００２５】
前記位置情報取得可能な端末機器２１は位置情報にユーザ端末接続した位置情報取得可能な端末機器２１の場所に関する情報を含めるための場所情報を取得する場所情報取得部２１４を有し、位置情報にユーザ端末接続した位置情報取得可能な端末機器２１の場所に関する情報を含むことで、ユーザ端末１１が取得した位置情報をもとに、ユーザ端末１１の位置を識別する。
以上はユーザ端末１１が位置情報取得可能な端末機器２１を経由して位置情報機器１２から位置情報を取得する場合であるが、これに限らず、ユーザ端末１１が位置情報取得可能な端末機器２１を経由しないで位置情報機器１２から直接位置情報を取得してもよい。すなわち、ユーザ端末１１が位置情報取得可能な端末機器２１のＩＤ、あるいは位置情報取得のための一時的なＩＤを用いて位置情報を取得する場合には、図３に示すように、ユーザ端末１１から位置情報取得可能な端末機器２１への接続要求により、位置情報取得可能な端末機器２１が認証サーバ２２へ認証要求すると、認証サーバ２２はユーザの認証を行うと共に、位置情報取得可能な端末機器２１のＩＤ、あるいは位置情報取得のための一時的なＩＤを生成し、位置情報機器１２に通知する。位置情報機器１２はＩＤ通知結果応答信号を認証サーバ２２へ送信する。認証サーバ２２はＩＤを含む認証結果応答信号を位置情報取得可能な端末機器２１へ送信し、位置情報取得可能な端末機器２１はＩＤを含む接続結果応答信号をユーザ端末１１へ送信する。ユーザ端末１１はＩＤを含む位置情報取得要求信号を位置情報機器１２へ送信し、位置情報機器１２は位置情報取得結果応答信号をユーザ端末１１へ送信する。ユーザ端末１１は位置情報機器１２から位置情報取得結果応答信号を受信すると、位置情報を取得すると共に場所情報を取得して、位置特定および位置識別を行う。
【００２６】
図４は本発明に係る位置情報特定システムの具体例を示す構成説明図であり、位置情報取得可能な端末機器の一例として、近くのユーザ端末に接続する場合を示したものである。すなわち、ユーザ端末１１として携帯電話等、位置情報機器１２としてＧＰＳ等、位置情報取得可能な端末機器２１として携帯電話等をそれぞれ用いたものである。
【００２７】
図５は本発明に係る位置情報特定システムの他の具体例を示す構成説明図であり、位置情報取得可能な端末機器の一例として、建物内の無線ＬＡＮアクセスポイントに接続する場合を示したものである。すなわち、ユーザ端末１１として携帯電話等、位置情報機器１２としてＧＰＳ等、位置情報取得可能な端末機器２１として建物内の無線ＬＡＮアクセスポイント等をそれぞれ用いたものである。
【００２８】
尚、前記各実施形態例における位置情報特定方法は、具体的にはパソコン、携帯電話等のコンピュータ演算手段により、予め所定のプログラムに基づいて実行される。前記プログラムはＣＤ等の所定のコンピュータ読み取り可能な記録媒体に記録することができる。
【００２９】
すなわち、端末プログラムは、ユーザ端末が近くにある位置情報取得可能な端末機器を検出し接続依頼を行う接続依頼手順と、認証サーバからの位置情報取得のための情報をもとに位置情報取得依頼を行う位置情報取得依頼手順とをユーザ端末に実行させるためのものである。
【００３０】
また、端末機器プログラムは、ユーザ端末からの接続依頼手順によって、ユーザ端末から受信するユーザ情報を認証サーバに対して通知することで認証を依頼し、認証サーバからの認証結果をユーザ端末に通知する認証依頼手順と、ユーザ端末からの位置情報取得依頼手順によって位置情報を取得し、ユーザ端末に通知する位置情報取得手順と、位置情報にユーザ端末接続した位置情報取得可能な端末機器の場所に関する情報を付加する場合に、その情報を抽出して、ユーザ端末に通知する場所情報付加手順とを位置情報取得可能な端末機器に実行させるためのものである。
【００３１】
また、認証サーバプログラムは、位置情報取得可能な端末機器からの認証依頼手順によって、ユーザ情報と、位置情報取得可能な端末機器に関する情報をベースに、位置情報取得可能な端末機器にユーザ端末が接続するための認証を行うユーザ認証手順と、ユーザ端末が前記位置情報特定方法によって位置情報を取得することを許可するかの判定、あるいは、事前に決められた前記位置情報特定方法によって、位置情報取得を許可するかの判定を行う位置情報取得判定手順とを認証サーバに実行させるためのものである。
【００３２】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【００３３】
【発明の効果】
以上述べたように本発明によれば、位置情報を要求するユーザ端末に、ユーザ端末の近くにある位置情報取得可能な端末機器と接続することによって位置情報を取得し、ユーザ端末の位置を特定することが可能となり、また場所情報から端末の場所を識別することが可能となる。
【図面の簡単な説明】
【図１】本発明の一実施形態例に係る位置情報特定システムを示す構成説明図である。
【図２】図１に対する信号シーケンスの一例を示す説明図である。
【図３】図１に対する信号シーケンスの他の例を示す説明図である。
【図４】本発明に係る位置情報特定システムの具体例を示す構成説明図である。
【図５】本発明に係る位置情報特定システムの他の具体例を示す構成説明図である。
【図６】従来の位置情報取得システムの一例を示した構成説明図である。
【図７】図６に対する信号シーケンスの一例を示す説明図である。
【符号の説明】
１１…ユーザ端末、１２…位置情報機器、２１…位置情報取得可能な端末機器、２２…認証サーバ、２３…コンピュータネットワーク、１１１…位置情報取得部、１１２…位置情報取得依頼部、１１３…端末機器通信部、２１１…位置情報取得部、２１２…位置情報取得依頼部、２１３…端末機器通信部、２１４…場所情報取得部、２２１…ユーザ認証部、２２２…ＩＤ制御部。
【図１】
2005027108.tif 000003
【図２】
2005027108.tif 000004
【図３】
2005027108.tif 000005
【図４】
2005027108.tif 000006
【図５】
2005027108.tif 000007
【図６】
2005027108.tif 000008
【図７】
2005027108.tif 000009